(57)【要約】      （修正有）【課題】従来の廃水処理を不要にした洗浄水循環型のコンベアベルトの洗浄処理システムを提供する。【解決手段】水により落粉が付いたコンベアベルトを洗浄するコンベアベルト洗浄手段と、該コンベアベルト洗浄手段で洗浄に使用され、上記落粉を含んでスラッジ化した洗浄水を導入して脱水し、落粉成分を回収する落粉回収手段と、該落粉回収手段を介して落粉成分が回収された洗浄水を回収して貯留する洗浄水貯留手段と、該洗浄水貯留手段に貯留された洗浄水を濾過手段を介して濾過した後に上記コンベアベルト洗浄手段に清澄化された新たな洗浄水として供給する洗浄水供給手段とからなり、それら各手段を上記洗浄水が順次閉回的に循環するように構成し、外部への廃水を生ぜしめないようにした。【選択図】図１
2018150153.tif 000002
【特許請求の範囲】
【請求項１】
水により落粉が付いたコンベアベルトを洗浄するコンベアベルト洗浄手段と、該コンベアベルト洗浄手段で洗浄に使用され、上記落粉を含んでスラッジ化した洗浄水を導入して脱水し、落粉成分を回収する落粉回収手段と、該落粉回収手段を介して落粉成分が回収された洗浄水を回収して貯留する洗浄水貯留手段と、該洗浄水貯留手段に貯留された洗浄水を濾過手段を介して濾過した後に上記コンベアベルト洗浄手段に清澄化された新たな洗浄水として供給する洗浄水供給手段とからなり、それら各手段を上記洗浄水が順次閉回路的に循環するように構成したことを特徴とする無廃水型コンベアベルトの洗浄処理システム。
【請求項２】
落粉回収手段が、洗浄によりスラッジ化した洗浄水中の落粉成分の回収機能だけでなく、洗浄水の濾過機能を有して構成されていることを特徴とする請求項１記載の無廃水型コンベアベルトの洗浄処理システム。
【請求項３】
落粉回収手段が、通水性のある布製のフレキシブルコンテナバッグよりなっていることを特徴とする請求項１又は２記載の無廃水型コンベアベルトの洗浄処理システム。
【請求項４】
洗浄水貯留手段が、沈殿池分離機能を有して構成されており、落粉回収手段を介して供給される洗浄水中の落粉成分を沈殿させることにより分離するようになっていることを特徴とする請求項１，２又は３記載の無廃水型コンベアベルトの洗浄処理システム。
【請求項５】
洗浄水供給手段は、電動ポンプにより構成され、制御手段により間欠的に駆動されるようになっていることを特徴とする請求項１，２，３又は４記載の無廃水型コンベアベルトの洗浄処理システム。
【請求項６】
落粉回収手段が、圧縮手段を備えて構成されていることを特徴とする請求項１，２，３，４又は５記載の無廃水型コンベアベルトの洗浄処理システム。
【発明の詳細な説明】
【技術分野】
【０００１】
本願発明は、水によるコンベアベルトの洗浄処理システムの構成に関し、さらに詳しくは、洗浄後の汚水の濾過循環機能を備え、一旦使用した洗浄水を繰り返し新たな洗浄に利用できるようにすることによって、従来の廃水をなくした無廃水型コンベアベルトの洗浄処理システムの構成に関するものである。
【背景技術】
【０００２】
石炭焚きの火力発電所や製鉄所などでは、石炭や鉄鉱石などを目的の場所に搬送するのに搬送容量の大きなベルトコンベアが多数台用いられている。それらのコンベアベルト部分には当然ながら石炭粉や、鉱石粉などの落粉が溜まる。そして、これらの溜った落粉が、時として火災の発生を招く危険があった。
【０００３】
そこで、従来から人の手によりによりそれら落粉の清掃（一定期間ごとの排出作業）が行なわれているが、多くの人手とコストがかかる。このため、石炭等搬送完了後のベルトコンベアのリターン側ベルト部分に水による洗浄室を設けて自動的に洗浄するようにしたコンベアベルト洗浄装置が提案されている（例えば特許文献１、特許文献２の構成を参照）。
【先行技術文献】
【特許文献】
【０００４】
【特許文献１】特開平９−２５５１３１号公報
【特許文献２】特開平９−３２８２１９号公報
【発明の概要】
【発明が解決しようとする課題】
【０００５】
ところが、上記特許文献１，２に記載されている洗浄装置の場合、洗浄後の落粉がスラッジ化し、それが洗浄装置（回収用ホッパー部など）の目詰まりを生じさせる。そのため、定期的な洗浄装置の清掃が必要になる。また、それら水を含んでスラッジ化した落粉は、廃水処理施設としての排水ピットで廃水と落粉に分けられるが、これら排水ピットで生じる落粉および廃水をどのように処理するかが新たな問題となる。落粉はバキューム車などで排出し、脱水したうえで埋め立て地などに搬送する必要があり、また廃水の方は当該排水ピットで濾過したうえで下水等に放水しなければならない。
【０００６】
上記洗浄装置の目詰まりを回避するためには上記洗浄時に供給する洗浄水の量を多くすれば良いが、そうすると最終的な廃水の量も多くなり、廃水処理施設としての排水ピットも大型化し、処理コストを上昇させる。このような事情から、上記特許文献１，２に示されるような洗浄装置を備えた洗浄処理システムは、実際には殆ど普及していないのが現状である。
【０００７】
本願発明は、このような従来の課題を解決するためになされたものであって、洗浄後の汚水の濾過循環機能を備え、一旦使用した洗浄水を繰り返し新たな洗浄に利用できるようにすることによって、従来の廃水をなくした無廃水型コンベアベルトの洗浄処理システムを提供することを目的とするものである。
【課題を解決するための手段】
【０００８】
本願発明は、上記の課題を解決するために、次のような課題解決手段を備えて構成されている。
【０００９】
（１）請求項１の発明の課題解決手段
この発明の課題解決手段は、水により落粉が付いたコンベアベルトを洗浄するコンベアベルト洗浄手段と、該コンベアベルト洗浄手段で洗浄に使用され、上記落粉を含んでスラッジ化した洗浄水を導入して脱水し、落粉成分を回収する落粉回収手段と、該落粉回収手段を介して落粉成分が回収された洗浄水を回収して貯留する洗浄水貯留手段と、該洗浄水貯留手段に貯留された洗浄水を濾過手段を介して濾過した後に上記コンベアベルト洗浄手段に清澄化された新たな洗浄水として供給する洗浄水供給手段とからなり、それら各手段を上記洗浄水が順次閉回路的に循環するように構成したことを特徴としている。
【００１０】
このような構成によると、落粉を回収する落粉回收手段を介して閉鎖的な洗浄水の浄化循環回路が形成されることになり、洗浄水貯留手段に貯留された一定量の洗浄水を濾過しながら繰り返し使用することができ、洗浄後の廃水を外部に排出する必要がなくなる。
【００１１】
したがって、従来のような廃水処理の問題が解消され、また一定の期間内は、ほぼ無給水に近い状態でコンベアベルトを洗浄することが可能となる。
【００１２】
さらに、洗浄水貯留手段の貯留容量を大きくし、洗浄水供給手段の供給能力をそれに合わせて大きくして置けば、十分な量の洗浄水を循環させることができ、洗浄手段の洗浄部における洗浄機能、洗浄能力が向上するとともに、洗浄後の洗浄水のスラッジ化の度合が低くなり、その粘度が下がるので、従来のような洗浄手段における目詰まりも生じにくくなる。
【００１３】
（２）請求項２の発明の課題解決手段
この発明の課題解決手段は、請求項１の発明の課題解決手段において、落粉回収手段が、洗浄によりスラッジ化した洗浄水中の落粉成分の回収機能だけでなく、洗浄水の濾過機能を有して構成されていることを特徴としている。
【００１４】
このような構成によると、該落粉回収手段がスラッジ化した洗浄水の第一次的な濾過手段として作用するようになる一方、洗浄水貯留手段側の濾過手段が第二次的な濾過手段として作用するようになり、２段階の高精度な濾過機能を実現することができるようになる。
【００１５】
この結果、上述した洗浄水の浄化循環回路の濾過性能がより向上し、より清澄度の高い洗浄水を得ることができる。
【００１６】
（３）請求項３の発明の課題解決手段
この発明の課題解決手段は、請求項１または２の発明の課題解決手段において、落粉回収手段が、通水性のある布製のフレキシブルコンテナバッグよりなっていることを特徴としている。
【００１７】
このように、通水性のある布製のフレキシブルコンテナバッグを落粉回収手段として採用すると、回収した落粉成分の回収量が一定の量になると、当該フレキシブルコンテナバッグを所定の圧縮手段で圧縮するなどして、容易に洗浄水を脱水させることができ、また、そのメッシュ値を適切に選択することにより、有効な１次濾過手段として構成することができる。
【００１８】
そして、そのようにしながら、当該フレキシブルコンテナバッグ内の脱水されたケーキ状の落粉成分が満杯状態になると、その開口部を閉じた上で、たとえばローラコンベアなどを利用して取り出し位置に搬送し、フォークリフトなどで所望に搬出することができる。
【００１９】
したがって、安価であって、回收後の処理も容易である。
（４）請求項４の発明の課題解決手段
この発明の課題解決手段は、請求項１，２または３の発明の課題解決手段において、洗浄水貯留手段が、沈殿池分離機能を有して構成されており、落粉回収手段を介して供給される洗浄水中の落粉成分を沈殿させることにより分離するようになっていることを特徴としている。
【００２０】
このような構成によると、落粉回収手段によりスラッジ化した落粉成分が回収され、第一次的に濾過された使用済み洗浄水中に残る落粉成分が、さらに洗浄水貯留手段部分で第二次的に沈殿分離されるようになり、上述した洗浄水貯留手段中の濾過手段をさらに第三次的な濾過手段として機能させることが可能となるので、最終的にコンベアベルト洗浄手段に供給される洗浄水の清澄度がより大きく向上する。
（５）請求項５の発明の課題解決手段
この発明の課題解決手段は、請求項１，２，３又は４の発明の課題解決手段において、洗浄水供給手段は、電動ポンプにより構成され、制御手段により間欠的に駆動されるようになっていることを特徴としている。
【００２１】
このような構成によると、コンベアベルト洗浄手段のスラッジ排出口部分における目詰まりを生じにくくすることができるとともに、洗浄水濾過機能を持った落粉回収手段に流入する使用済み洗浄水の量を軽減することができるので、同部分における濾過負荷を軽減することができる。
【００２２】
これらの結果、洗浄処理システムの運転効率が向上する。
【００２３】
（６）請求項６の発明の課題解決手段
この発明の課題解決手段は、請求項１，２，３，４または５の発明の課題解決手段において、落粉回収手段が、圧縮手段を備えて構成されていることを特徴としている。
【００２４】
このように、落粉回収手段が、圧縮手段を備えて構成されていると、請求項３の課題解決手段のように、通水性のある布製のフレキシブルコンテナバッグを落粉回収手段として採要した場合に、当該フレキシブルコンテナバッグを圧縮することによって、容易に洗浄水を含んだ落粉の脱水、洗浄水の濾過を図ることが可能になる。
【発明の効果】
【００２５】
以上のように、本願発明によると、一旦使用した洗浄水を繰り返し新たな洗浄水として利用することができるので、従来のような廃水処理の必要がなくなり、無廃水型の洗浄処理システムを実現することができる。
【００２６】
その結果、従来の洗浄処理システムのような大型の廃水処理施設が不要となり、大幅にコストを削減することができる。また、設置場所の制約も無くなる。
【００２７】
その結果、すでに述べた火力発電所や製鉄所などの固定的な場所に限らず、車両等で移動可能なユニット構造に構成することができるので、建設工事現場など、洗浄処理が必要な場所に任意に設置して使用することができる。そのため、装置の普及が促進される。
【図面の簡単な説明】
【００２８】
【図１】本願発明の実施の形態に係る無廃水型コンベアベルト洗浄処理システムの全体的な装置構成を示すシステム図である。
【図２】同実施の形態における無廃水型コンベアベルト洗浄処理システムのコンベアベルト洗浄装置（コンベアベルト洗浄手段）部分の構成を示す拡大断面図である。
【図３】同実施の形態における無廃水型コンベアベルト洗浄処理システムのスラッジ回収装置（落粉成分回収手段）および洗浄水貯留水槽（洗浄水貯留手段）部分の構成を示す正面図である。
【図４】同実施の形態における無廃水型コンベアベルト洗浄処理システムのスラッジ回収装置（落粉成分回収手段）部分の構成を示す平面図である。
【図５】同実施の形態における無廃水型コンベアベルト洗浄処理システムのスラッジ回収装置（落粉成分回収手段）部分の構成を示す左側面図である。
【図６】同実施の形態における無廃水型コンベアベルト洗浄処理システムのスラッジ回収装置（落粉成分回収手段）における脱水・濾過状態（フレキシブルコンテナバッグ圧縮状態）を示す図２と同様の正面図である。
【図７】同実施の形態における無廃水型コンベアベルト洗浄処理システムのスラッジ回収装置（落粉成分回収手段）部分における脱水濾過作業完了後のフレキシブルコンテナバッグ搬出状態を示す説明図である。
【図８】同実施の形態における無廃水型コンベアベルト洗浄処理システムの制御系統の構成を示す概略図である。
【発明を実施するための形態】
【００２９】
以下、添付の図１〜図８の図面を参照し、本願発明の実施の形態に係る無廃水型コンベアベルト洗浄処理システムの構成および作用について、詳細に説明する。
＜システム全体の構成：図１＞
すなわち、まず図１は、同本願発明の実施の形態に係るコンベアベルト洗浄処理システム全体の構成を示しており、符号５０は洗浄対象となるベルトコンベアである。このベルトコンベア５０は、例えば石炭焚きの火力発電所や製鉄所などで石炭や鉄鉱石などを目的の場所に搬送するのに使用される搬送容量の大きなベルトコンベアであり、この例では第２のベルトコンベア９が組み合わされて目的の場所に搬送されるようになっている。
【００３０】
このベルトコンベア５０も、一般のベルトコンベアと同様に搬入側および搬出側両端に一対のベルト車を備え、それらの間にエンドレスベルトを循環させ、上部側のベルトを搬送ベルト５１、下部側のベルトをリターンベルト５２とし、それらの間に多数のアイドラを設置して搬送ベルト５１を支持している（搬入側のベルト車および中間のアイドラは図示を省略）。そして、このコンベアベルト５０の搬送ベルト５１部分には、すでに述べたように石炭粉や、鉱石粉などの落粉が溜まり、それらがリターンベルト５２側に付着したまま搬入側に戻される。そして、これが繰り返されることにより、そのままではリターンベルト５２の下方にそれら落粉が次第に蓄積されることになる。
【００３１】
そこで、この実施の形態では、上記ベルトコンベア５０のリターンベルト５２のリターン側部分に位置してコンベアベルト洗浄装置（コンベアベルト洗浄手段）５を設け、該コンベアベルト洗浄装置５の洗浄室５３ａを通してリターンベルト５２を搬入端側にリターンさせるようにし、上記リターンベルト５２に付着している落粉を除去するようにし、下方に落下させないようにしている。
＜コンベアベルト洗浄装置部分の構成：図２＞
コンベアベルト洗浄装置５は、例えば図２に詳細に示すように、側壁上部に上記リターンベルト５２を通過させるためのスリット５３ｃ，５３ｃを備えた屋根付きホッパー構造の洗浄チャンバー５３内に図示のような洗浄室５３ａを形成して構成されており、同洗浄室５３ａ内には上記洗浄室５３ａ内を通過するリターンベルト５２の下面に向けて洗浄水Ｗを噴射する洗浄水噴射ノズル５４ａ（ベルト洗浄用）、５４ｂ（洗浄チャンバー内洗浄用）が設けられている。そして、上記洗浄室５３ａ内に上記の様にリターンベルト５２を通し、コンベアベルト洗浄時は洗浄水噴射ノズル５４ａからリターンベルト５２裏面（搬送時表面）に洗浄水Ｗを強く吹き付けて、リターンベルト５２に付着している落粉を洗い落す。
【００３２】
このようにして、ベルト面から下方に落とされる落粉は洗浄水Ｗと混合されて所定粘度のスラッジＳとなり、洗浄水Ｗと共に洗浄チャンバー５３下部のホッパー部で集合されて、同ホッパー部下端のスラッジ排出口５３ｂ部分から排出される。スラッジ排出口５３ｂには、後述するスラッジ回収装置（落粉成分回収手段）１側に延びるダクトホース５５が接続されており、このダクトホース５５を介してスラッジ回収装置１側に使用後の汚染洗浄水ＷおよびスラッジＳが供給される。なお、以下の説明では、この使用後の汚染洗浄水Ｗを含んで（と混合されて）スラッジ化した落粉成分（汚泥状の落粉成分）を、すべて単にスラッジＳと略称して説明することにする。
＜スラッジ回収装置部分の構成：図３〜図５＞
スラッジ回収装置１は、例えば図３〜図５に示されるように、スラッジ回収手段として所定のメッシュ値で通水性のある布製のフレキシブルコンテナバッグ（以下、単にフレコンバッグと略称する）１０を備え、該フレコンバッグ１０中に上記使用後の洗浄水ＷおよびスラッジＳをそのまま導入し、その後同フレコンバッグ１０を所定の圧縮手段（後述）で圧縮することにより、スラッジＳ中から洗浄水Ｗを可能な限り排出（脱水）し、スラッジＳのみをケーキ状（塊状）にして回収するようになっている。
【００３３】
このスラッジ回収装置１は、内側に洗浄水貯留槽（洗浄水貯留手段）６０および各種配管系統６５・６９・６７・７１・７３・８１・８２（図１参照）、上面側にフレコンバッグ搬出用の第１，第２の搬送ローラ２５，２６、側部に昇降シリンダ３３を備えたコンベアベルト洗浄装置本体（以下、単に装置本体と言う）２１の上部側前部より部分に位置して一体に立設された昇降枠（リフト枠）２２を使用して、次のように構成されている。
【００３４】
装置本体２１は、図示のように、その全体が鉄骨フレーム枠構造で形成されており、その上面側は、前端部側がフレコンバッグ搬入ステーション２０、中央部側がフレコンバッグ脱水濾過ステーション２３、後端部側がフレコンバッグ仕上げステーション２４にゾーン設定されている。
【００３５】
そして、上記昇降枠２２は、上記装置本体枠２１の上記フレコンバッグ脱水濾過ステーション２３部分の左右上部枠２１ａ、２１ａ上に立設された４本の支柱２２ａ，２２ａ・・と、これら４本の支柱２２ａ，２２ａ・・の上端同士を相互に連結する方形の天井枠（天井枠フレーム）２２ｂとからなり、天井枠２２ｂ間の中央部位置には、上記ダクトホース５５の下端部が開閉駆動用の電動機Ｍ（図１以外では図示を省略）を備えた電動弁５７を介して接続されるフレコンバッグ取り付け筒５６が設けられている。このフレコンバッグ取り付け筒５６の下端側開口部５８部分がフレコンバッグ取り付け口部となっており、同開口部５８に対して、図示のようにフレコンバッグ１０の上端側開口部１１が絞り付け状態で緊密に取り付けられる。このフレコンバッグ取り付け筒５６は、例えば上記天井枠２２ｂの前後両枠部間に別途架設したブリッジ枠（図示省略）を利用して、上記フレコンバッグ脱水濾過ステーション２３のセンター部上方位置に取り付けられている。
【００３６】
符号５９は、上記フレコンバッグ１０の開口部１１を上記フレコンバッグ取り付け筒５６の下端側開口部５８に対して確実に締め付け固定するための固定用リングであり、例えば一例として嵌合弾性強度の強い２組のＣリングが採用されている。
【００３７】
フレコンバッグ１０は、この実施の形態のスラッジ回収装置１において、スラッジＳを回収するとともに汚染した洗浄水Ｗの第一次的な濾過を図り、かつ回収したスラッジＳの確実な脱水を図る中心的な役割を果たすものであり、スラッジＳを形成する落粉成分（例えば粒径が０.１mm程度もの）の通過を阻止しながら、しかも洗浄水を確実に排出する濾過・脱水・回収容器機能をもつものである。しかも、この実施の形態では、そのような洗浄水の濾過および脱水を確実にするために、上記使用後の洗浄水ＷおよびスラッジＳをそのままフレコンバッグ１０内に導入し、その後所定の圧縮手段で複数回圧縮するようにしているので、それに耐え得る強靭性のあるものであることが好ましい。また、できれば上部側筒体部の通常の生地部分とは別に網目生地による水切り部を有し、水切り効率が高いものが好ましい。
【００３８】
このように構成されたフレコンバッグ１０は、図示のように、搬送用のパレット３０を介してフレコンバッグ昇降装置の昇降台４１上に載置されている。パレット３０は、相互の間に通水用の間隔をあけて設けられた上下各複数枚の板材間に中間財を挟んで上下方向の所定の隙間を形成した偏平箱形ものよりなり、同上下方向の隙間部分にフォークリフトのフォーク部分を差し込んで持ち上げることができる搬送構造のものが採用されている。
＜フレコンバッグ昇降装置の構成：図３〜図７＞
フレコンバッグ昇降装置は、上述したフレコンバッグ圧縮手段（フレコンバッグ脱水手段）を構成するものであり、駆動源である昇降シリンダ３３を備え、その駆動力を上記昇降台４１に伝達する動力伝達機構３４としての鎖型のチェーン３９ａ〜３９ｄ、鎖型のチェーン３９ａ〜３９ｄに対応した係合歯を有するスプロケット（転向手段）３７ａ〜３７ｄを介して昇降台４１をリフティングし、該リフティング状態で上下方向に昇降させるようになっている。そして、それにより昇降台４１上にパレット３０を介して載置されている上記フレコンバッグ１０を上方に吊り上げ、上記天井枠２２ｂ側に設けられているリング状のフレコンバッグ受け止め部材（これは天板下面でも良い）１５との間で上記フレコンバッグ１０全体を均等に圧縮し、当該フレコンバッグ１０内に収納されているスラッジＳ中の洗浄水Ｗを可能な限り外部に排出させて、回収すべきスラッジＳの可及的な脱水を図る。
【００３９】
昇降シリンダ３３は、例えば電動式のパワーシリンダよりなり、図３〜図５から明らかなように、そのシリンダ本体部３３ａが装置本体２１の枠体正面側に一体に設置されており、その作動ロッド３３ｂが上記昇降枠２２の天井枠２２ｂ部分まで延びて、上記鎖型のチェーン３９ａ，３９ｂの基端側を連結している。
【００４０】
動力伝達機構３４は、上記昇降枠２２の天井枠２２ｂの上面側左右に位置し、前後に平行な状態で設けた第１の回転支軸３５および第２の回転支軸３６と、上記第１の回転支軸３５の前後両端に回転可能に取付けた上記４組のスプロケット３７ａ，３７ｂ、３７ｃ，３７ｄと、上記第２の回転支軸３６の前後両端に取付けた上記２組のスプロケット３８ａ，３８ｂと、それら各スプロケット３７ａ，３７ｂ、３７ｃ，３７ｄ、３８ａ，３８ｂ部分に巻回された上記鎖型のチェーン３９ａ，３９ｂ、３９ｃ，３９ｄとを連係回転可能に組み合わせて構成されている。
【００４１】
鎖型のチェーン３９ａ，３９ｂ、３９ｃ，３９ｄの先端側は、上記昇降台４１の左右２枚の側板４２、４２の前後両端部分にそれぞれ連結されている。他方、鎖型のチェーン３９ａ，３９ｂの基端側は共に昇降シリンダ３３の作動ロッド３３ｂの先端に連結されている（上述）。また、上記鎖型のチェーン３９ｃ，３９ｄの基端側は、共に昇降作動時の重量バランスを取るためのカウンタウエイト４０の上端に連結されている（図３および図６の構成を参照）。
【００４２】
そして、昇降シリンダ３３の作動ロッド３３ａが最も伸長した状態（図３および図５の状態を参照）では、上記構成の動力伝達機構３４（各チェーン３９ａ，３９ｂ、３９ｃ，３９ｄおよび各スプロケット３７ａ，３７ｂ、３７ｃ，３７ｄ、３８ａ，３８ｂ）を介して、上記昇降台４１が最下動状態に維持される一方、昇降シリンダ３３の作動ロッド３３ｂが最も縮小した状態になると（図６の状態を参照）、同動力伝達機構３４を介して上記昇降台４１が最上動状態に維持されるようになっている。
【００４３】
この場合において、上記昇降枠２２内の上記脱水濾過ステーション２３の上記昇降台４１上には、上記フレコンバッグ搬入ステーション２０を介してパレット３０が搬入され、該パレット３０上にはフレコンバッグ１０が載置されている。したがって、上記図３および図５の最下降状態において、上記フレコンバッグ取り付け口部５８にフレコンバッグ１０の開口部１１を取り付け、電動弁５７を開いて、同フレコンバッグ１０中に上記洗浄水ＷおよびスラッジＳを導入し、その導入量が一定の量になった段階で、洗浄水供給ポンプ６３を停止するとともに電動弁５７を閉じ、上記昇降シリンダ３３を駆動すると、当該フレコンバッグ１０が上記図３および図５の状態から図６の状態に吊り上げられ、上記天井枠２２ｂ側に設けられているフレコンバッグ受け止め部材１５とパレット３０との間で当該フレコンバッグ１０の全体が効果的に圧縮され、当該フレコンバッグ１０内に収納されているスラッジＳ中の洗浄水Ｗを可能な限り外部に排出させて、回収すべきスラッジＳの可及的な脱水を図ることができる（図６の状態を参照）。
【００４４】
また、この時、外部に排出される洗浄水Ｗは、その時のメッシュ値（例えば水切り部の）で決まる所定粒径以上のスラッジ成分Ｓがフレコンバッグ１０内に回収されて或る程度まで清澄濾過された洗浄水となる。この圧縮状態は、脱水に必要な所定時間維持される。
【００４５】
そして、同所定時間が経過すると、再び上記図３および図５の最下降状態に戻して、電動弁５７を開くとともに洗浄水供給ポンプ６３を駆動して、改めてフレコンバッグ１０中に新たな洗浄水ＷおよびスラッジＳを導入し、その導入量が一定の量になると、再び洗浄水供給ポンプ６３を止めるとともに電動弁５７を閉じて、上記昇降シリンダ３３を駆動して、フレコンバッグ１０を上記図６の状態に吊り上げて脱水および洗浄水の濾過を行う。
【００４６】
この作業を所定回数繰り返して、脱水され、ケーキ状になったスラッジＳの量が所定の梱包・搬出量（略満杯）に達すると、洗浄水供給ポンプ６３の駆動（洗浄水の供給）を止め、かつ電動弁５７を閉じた状態を維持した状態で、上記フレコンバッグ１０の開口部１１をフレコンバッグ取り付け口部５８から外して閉じ、パレット３０上に載置したまま上記スラッジ回収装置１の上記脱水濾過ステーション２３部分から、装置本体２１後端側の仕上げ脱水ステーション２４部分に移送し、所定時間放置して自然放出による仕上げ脱水を行う（図７の状態を参照）。そして、その間に、上記フレコンバッグ搬入ステーション２０側から新たなパレット３０およびフレコンバッグ１０を搬入し、上記フレコンバッグ取り付け筒５８に対して次の新しいフレコンバッグ１０を装着する。
【００４７】
上記昇降台４１は、上記の様にパレット３０の左右方向の間隔よりも少し広い間隔をもつ左右２枚の側板４２，４３間に複数枚の縦板４４，４４・・を左右交差方向に並設して構成されている。そして、この昇降台４１は、後述するように上昇時（例えば図６の状態）には各縦板４４，４４・・部分でパレット３０を押し上げる一方、最下降位置（図３〜図５の状態）まで下降した状態では、各縦板４４，４４・・部分が上述した装置本体枠２１上部の上記脱水濾過ステーション２３下部に対応して設置されている第１の搬送ローラ２５の各ローラ間の隙間に入り込むとともに、各縦板４４，４４・・の上端面が当該各ローラの上端面よりも所定寸法下方位置に沈みこむように設定して構成されている（図３を参照）。
【００４８】
従って、これにより、当該一つのフレコンバッグ１０によるスラッジＳの回収が終了して上記昇降台４１が上記のように最下降位置まで下降したときには、上記フレコンバッグ１０を載せたパレット３０の下面が各縦板４４，４４・・の上面部分から第１の搬送ローラ２５の各ローラの上面側に乗り替わる。したがって、この状態でフレコンバッグ１０を後方側に押すと、当該フレコンバッグ１０は、パレット３０と共に装置本体２１後端側の上記仕上げ脱水ステーション２４ゾーンに対応して同様に設けられている第２の搬送ローラ２６のローラ上に移送され、上記仕上げ脱水ステーション２４部分で所定時間内仕上げ脱水が行われる。これにより所定時間内フレコンバッグ１０から滴り落ちる洗浄水のさらなる回収がなされる。そして、所定の時間が経過してフレコンバッグ１０からの洗浄水の滴下が無くなると、同仕上げステーション２４部分にフォークリフトを対応させ、上記パレット３０のフォーク挿入空間にフォークを挿入して降ろし、所定の場所に搬送する。
＜洗浄水貯留槽（洗浄水貯留手段）の構成：図１、図３〜図５、図７＞
ところで、上述のように、上記装置本体枠２１の内側には、上記スラッジ回収装置１側の脱水・濾過ステーション２３および仕上げ脱水ステーション２４の下面に対応した水受け開口面を有する洗浄水貯留槽（洗浄水貯留手段）６０が設けられている。
【００４９】
この洗浄水貯留槽６０は、図示のように、上記脱水濾過ステーション２３側で深く、仕上げ脱水ステーション２４側で浅い、上方側で生じる脱水量に応じた断面形状のものとなっており、脱水・濾過ステーション２３側所定深部に洗浄水濾過手段６２、仕上げ脱水ステーション２４側所定深部に水位検出装置６１が設けられている。洗浄水濾過手段６２は、例えばウエッジワイヤーを備えたウオーターストレーナにより構成されており、上記所定メッシュ値のフレコンバッグ１０を第一次的な濾過手段として濾過され、かつ当該洗浄水貯留槽６０内で残余スラッジ成分が沈殿分離されたコンベアベルト洗浄後の洗浄水を、さらに確実かつ高精度に濾過し、より清澄度の高い洗浄水に再生する。水位検出装置６１は、例えば検知水位の異なる３本の水位検知電極を有し、貯留された水位レベルが所定の設定レベルより低下したことを検出すると、水補給タンク８９に接続された補給水配管６９途中の電磁開閉弁７０を開き、上記洗浄水濾過手段６２を通して必要量の給水を行う。また、この給水制御は、必要に応じて上記洗浄水濾過手段６２の目詰まりを解消する逆洗にも利用される。
【００５０】
この洗浄水貯留槽６０は、また上記のように沈殿池としての機能も有しており、そのために上記第一次的な濾過手段であるフレコンバッグ１０のメッシュ値よりも小さな粒径で、フレコンバッグ１０を通過し、かつ上記洗浄水濾過手段６２で濾し取られた微細な落粉成分を底部６０ａの一カ所に集め得る擂り鉢形状になっている。そして、同微細な落粉成分がヘドロ状に沈殿する底部６０ａの最深部部分に対応して、ヘドロ成分引き抜き用の配管７１の一端が挿入されている。このヘドロ引き抜き配管７１は、電磁開閉弁７２を介して上記洗浄水供給ポンプ６３に接続されており、上記洗浄水供給ポンプ６３は手動開閉弁８６を介してドレン配管８５に接続されている。したがって、洗浄水供給配管６７の洗浄水供給ポンプ６３上流側の電磁開閉弁６６を閉じ、上記ドレン配管８５の手動開閉弁８６を開いて、上記洗浄水供給ポンプ６３を駆動すると、上記洗浄水貯留槽６０の底部６０ａの最深部部分に溜ったヘドロ成分を引き抜き、外部に排出することができる。
【００５１】
また、それに合わせて、上記洗浄水貯留槽６０の上記ヘドロが溜りにくい仕上げ脱水ステーション２４側の底部には、ヘドロ成分引き抜き後の洗浄水の戻り量を調整するための手動開閉弁８３、８４を介して水噴射ノズル５４ａ、５４ｂ側への供給洗浄水の一部を戻す第１、第２の水戻し配管８１、８２の先端が挿入されている。そして、それによりヘドロ成分引き抜き後の上記洗浄水貯留槽６０の底の浅い傾斜面部分に付着したヘドロ成分を洗い落とすことができる。また、それらのうちの第１の水戻し配管８１の途中には、戻される洗浄水の清澄度を見るための透明な透視管９０が設けられている。
＜洗浄水噴射ノズルへの濾過洗浄水の循環供給システム：図１および図８＞
図１は、上記洗浄水噴射ノズル５４ａ（ベルト洗浄用）、５４ｂ（洗浄チャンバー内洗浄用）への濾過洗浄水Ｗの循環供給システムの基本的な構成を、また図８は、マイコン制御機能を備えた制御盤９０を中心とする制御系統の基本的な接続構成を示している。この制御盤９０は、上記昇降シリンダ３３の昇降駆動制御、上記フレコンバッグ１０内へのスラッジ導入状態を制御する電磁開閉弁５７の開閉制御、上記洗浄水供給ノズル５４ａ（ベルト洗浄用），５４ｂ（洗浄チャンバー内洗浄用）への洗浄水供給状態を制御する電磁開閉弁６６、上記洗浄水供給ノズル５４ａ（ベルト洗浄用），５４ｂ（洗浄チャンバー内洗浄用）何れか一方側へ切り替えて洗浄水を供給する電動３方ボール弁（３方切換え弁）６８ａ、洗浄水供給ポンプ６３（その駆動モータ６４）の駆動状態制御、洗浄水貯留槽６０内の沈殿スラッジ成分をドレン側に排出する引き抜き時の電磁開閉弁７２および洗浄水供給ポンプ６３（その駆動モータ６４）の駆動制御、水位検出装置６１が洗浄水貯留槽６０内に貯留された水位レベルが所定の設定レベルより低下したことを検出した時に水補給タンク８９に接続された補給水配管６９途中の電磁開閉弁７０を開いて上記洗浄水濾過手段６２を通して必要量の給水を行う給水制御（水補給制御）、上記電動３方ボール弁（３方切換え弁）６８ａにより上記コンベアベルト洗浄用の水噴射ノズル５４ａによる水噴射状態から、上記洗浄チャンバー内洗浄用の水噴射ノズル５４ｂによる水噴射状態に切り替えるタイマー制御（例えば１時間に１回程度）等を行うようになっている。
【００５２】
図１における符号６７は、上記洗浄水貯留槽６０内の洗浄水濾過手段６２から電磁開閉弁６６、洗浄水供給ポンプ６３、電動３方ボール弁６８を介して、上述したコンベアベルト洗浄装置５の上記第１、第２の洗浄水噴射ノズル５４ａ（ベルト洗浄用）、５４ｂ（洗浄チャンバー内洗浄用）へ濾過洗浄水を供給するメインとなる上記洗浄水供給配管である。この洗浄水供給配管６７は、上記電動３方ボール弁６８部分で第１、第２の２本のノズル配管６７ａ（ベルト洗浄用），６７ｂ（洗浄チャンバー内洗浄用）に分岐されて選択的に供給されるようになっている（常時はノズル配管６７ａ、洗浄チャンバー内洗浄時はノズル配管６７ｂ）。上記電動３方ボール弁６８には、手動のバイパス開閉弁６８ａが設けられている。また、符号６４は、上記洗浄水供給ポンプ６３駆動用のモータ、符号ＰＬは、供給水の水圧を示す水圧指示計である。
＜本実施形態の洗浄水噴射ノズルへの濾過洗浄水の循環供給システムによるメリット＞
したがって、以上のような構成の場合、上述のように、フレコンバッグ１０部分で第一次的に濾過されて、殆どのスラッジ成分Ｓが除去された使用済みの洗浄水Ｗが、一旦上記洗浄水貯留槽６０内に貯留される。そして、この洗浄水貯留槽６０内で所定時間貯留されることにより、沈殿作用が生じて、当該使用済み洗浄水Ｗ中のフレコンバッグメッシュ値よりも粒径の小さいび落粉成分が底部６０ａ側に二次的に沈殿分離され、より清澄度の高い洗浄水となる。
【００５３】
次に、このようにして清澄化された洗浄水貯留槽６０内中〜上層部の使用済み洗浄水が、さらにウエッジワイヤー方式の高性能の洗浄水濾過手段６２を介して三次的に濾過され、さらに清澄度の高い洗浄水となって、上記電磁開閉弁６６、洗浄水供給ポンプ６３、電磁３方ボール弁６８を介して、上述したコンベアベルト洗浄装置５の第１、第２の洗浄水噴射ノズル５４ａ、５４ｂに供給されることになる。そして、以上の作用が繰り返し循環される。
【００５４】
したがって、同構成の場合、コンベアベルト洗浄装置５の第１、第２の洗浄水噴射ノズル５４ａ、５４ｂに供給される洗浄水の清澄度は非常に高いものとなり、新たな洗浄水と言っても良いレベルのものとなる。そのため、上記電磁開閉弁６６、洗浄水供給ポンプ６３、電動３方ボール弁６８部分での目詰まり等のトラブルが生じないだけでなく、それらの耐久性（寿命）も大きく向上する。また、洗浄水の供給作がスムーズで、洗浄部での洗浄効果も高くなる。
【００５５】
そして、以上の作用が閉回路的に連続し、繰り返し循環されるので、上記洗浄水貯留槽６０に貯留できる程度の一定量の洗浄水さえあれば、スラッジ側に残る水分量だけの最低限の減少状態に対応した給水さえ行えば足りる。しかも、洗浄後の汚染水を全く外部に排出する必要がないから、従来のような廃水が生じず、無廃水での洗浄が可能となる。したがって、従来のような大型の廃水処理設備も不要となる。
【００５６】
ただ、洗浄水貯留槽６０が沈殿池として機能するので、相当の期間を経て同槽底部６０ａに溜った一次濾過後の微細な落粉成分のヘドロのみを、必要に応じ、上記電磁開閉弁７２およびドレン開閉弁８６を開き、上記洗浄水供給ポンプ６３を駆動して、上記引き抜き配管７１〜戻り配管７３〜ドレン配管８５から排出すればよい。
【００５７】
また、以上の場合において、上記洗浄水供給手段である電動ポンプ６４による洗浄水供給制御は、例えば上記制御盤９０により、所定の周期で間欠的に供給制御されるようになっている。
【００５８】
このような構成によると、コンベアベルト洗浄装置５のスラッジ排出口５３ｃ部分における目詰まりを生じにくくすることができるとともに、洗浄水濾過機能を持ったフレコンバッグ１０内に流入する使用済み洗浄水の量を適切に軽減することができるので、同部分における濾過負荷を軽減することができる。その結果、洗浄処理システムの運転効率が向上する。
【００５９】
このように、本実施の形態のコンベアベルト洗浄処理システムによると、一旦使用した洗浄水を繰り返し新たな洗浄水として利用することができるので、従来のような大量の廃水処理の必要がなくなり、無廃水型の洗浄処理システムを実現することができる。
【００６０】
その結果、従来の洗浄処理システムのような大型の廃水処理施設が不要となり、大幅にコストを削減することができる。また、設置場所の制約がなくなる。
【００６１】
また、以上に述べたように、同構成では、装置本体２１部分に全ての必用な構成部分を一体化し、車両等で移動可能なユニット構造に形成することができるので、すでに述べた火力発電所や製鉄所などの固定的な場所に限らず、車両等で必要な場所に移動して設置することができ、建設工事現場など、洗浄処理が必要な場所に任意に設置して使用することができる。
【００６２】
そのため、汚泥その他の落粉等、対応できる用途が拡大され、同装置の普及も促進される。
＜その他の実施の形態＞
以上の実施の形態では、フレコンバッグ１０の圧縮手段として、昇降式（リフト型）の構成を採用したが、これは例えば前後又は左右方向の圧縮方式を採用して構成することもでき、又上方側から下方側に圧縮する圧縮手段を設けて構成することも可能である。
【００６３】
また、フレコンバッグ取り付け口部５８部分およびパレット載置台部分を軸回り方向に回転可能に構成して、遠心分離する方式の採用も可能である。このような構成の場合、周囲に防水壁を設け、その前後を開閉可能なシャッター扉構造にするなどの構成が必要になるが、フレコンバッグ１０中に脱水スラッジＳが充満するまで、洗浄を止める必要がない点で、洗浄効率、スラッジ回収効率が大きく向上する。したがって、搬送が継続しているベルトコンベア５０のコンベアベルト５１，５２を継続して洗浄することができる。
【００６４】
また、以上の実施の形態では、フレコンバッグ１０をスラッジ回収手段の一例として採用したが、これはフレコンバッグに限らず、各種の同等の機能、構成を有するものの採用が可能である。
【符号の説明】
【００６５】
１はスラッジ回収装置、５はコンベアベルト洗浄装置、１０はフレコンバッグ、１１はフレコンバッグ開口部、２０はフレコンバッグ搬入ステーション、２１は装置本体、２２は昇降枠、２３は脱水濾過ステーション、２４は仕上げ脱水ステーション、２５は第１の搬送ローラ、２６は第２の搬送ローラ、３０はパレット、４１は昇降台、５０はベルトコンベア、５２はリターンベルト、５３は洗浄チャンバー、５３ａは洗浄室、５４ａ，５４ｂは洗浄水噴射ノズル、５５はダクトホース、５７はスラッジ導入用の電動弁、６０は洗浄水貯留槽、６２は洗浄水濾過手段、６３は洗浄水供給ポンプ、６６は電磁開閉弁、６７は洗浄水供給配管、６８は電動３方ボール弁、７０，７２は電磁開閉弁、９０は制御盤、Ｓはスラッジ、Ｗは洗浄水である。
【図１】
2018150153.tif 000003
【図２】
2018150153.tif 000004
【図３】
2018150153.tif 000005
【図４】
2018150153.tif 000006
【図５】
2018150153.tif 000007
【図６】
2018150153.tif 000008
【図７】
2018150153.tif 000009
【図８】
2018150153.tif 000010
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
水により落粉が付いたコンベアベルトを洗浄するコンベアベルト洗浄手段と、該コンベアベルト洗浄手段で洗浄に使用され、上記落粉を含んでスラッジ化した洗浄水を導入して脱水し、落粉成分を回収する落粉回収手段と、該落粉回収手段を介して落粉成分が回収された洗浄水を回収して貯留する洗浄水貯留手段と、該洗浄水貯留手段に貯留された洗浄水を洗浄水濾過手段を介して濾過した後に上記コンベアベルト洗浄手段に洗浄水として供給する洗浄水供給手段とからなり、それら各手段を上記洗浄水が順次閉回路的に循環するように構成すると共に、上記洗浄水貯留手段を沈殿池分離機能を有する洗浄水貯留槽に構成し、上記落粉回収手段を介して供給される洗浄水中の落粉成分を沈殿させることによって分離するようにしてなる無廃水型コンベアベルトの洗浄処理システムであって、上記落粉回収手段は、通水性、濾過機能のあるフレキシブルコンテナバッグよりなっていて、圧縮手段を備えた脱水濾過ステーションで加圧脱水されると共に該加圧脱水後に仕上げ脱水ステーションで自然脱水されるようになっており、上記洗浄水貯留槽は、上記脱水濾過ステーションおよび上記仕上げ脱水ステーションの下部にあって、上記脱水濾過ステーション側で深く、上記仕上げ脱水ステーション側で浅い、上方側で生じる脱水量に応じた傾斜断面形状に形成され、上記脱水濾過ステーション側所定深部に上記洗浄水濾過手段、上記仕上げ脱水ステーション側所定深部に水位検出装置が設けられていると共に、上記脱水濾過ステーション側最深部にヘドロ成分引き抜き用の配管、また上記仕上げ脱水ステーション側底部傾斜面に洗浄水の一部を戻す水戻し配管が配設されていることを特徴とする無廃水型コンベアベルトの洗浄処理システム。
【請求項２】
洗浄水供給手段は、電動ポンプにより構成され、制御手段により間欠的に駆動されるようになっていることを特徴とする請求項１記載の無廃水型コンベアベルトの洗浄処理システム。
【請求項３】
コンベアベルト洗浄手段、落粉回収手段、洗浄水貯留手段、洗浄水濾過手段、洗浄水供給手段、加圧手段、脱水濾過ステーション、仕上げ脱水ステーションが装置本体部分に一体化され、単一の装置として移設可能となっていることを特徴とする請求項１又は２記載の無廃水型コンベアベルトの洗浄処理システム。
【手続補正２】
【補正対象書類名】明細書
【補正対象項目名】全文
【補正方法】変更
【補正の内容】
【発明の詳細な説明】
【技術分野】
【０００１】
本願発明は、水によるコンベアベルトの洗浄処理システムの構成に関し、さらに詳しくは、洗浄後の汚水の濾過循環機能を備え、一旦使用した洗浄水を繰り返し新たな洗浄に利用できるようにすることによって、従来の廃水をなくした無廃水型コンベアベルトの洗浄処理システムの構成に関するものである。
【背景技術】
【０００２】
石炭焚きの火力発電所や製鉄所などでは、石炭や鉄鉱石などを目的の場所に搬送するのに搬送容量の大きなベルトコンベアが多数台用いられている。それらのコンベアベルト部分には当然ながら石炭粉や、鉱石粉などの落粉が溜まる。そして、これらの溜った落粉が、時として火災の発生を招く危険があった。
【０００３】
そこで、従来から人の手によりによりそれら落粉の清掃（一定期間ごとの排出作業）が行なわれているが、多くの人手とコストがかかる。このため、石炭等搬送完了後のベルトコンベアのリターン側ベルト部分に水による洗浄室を設けて自動的に洗浄するようにしたコンベアベルト洗浄装置が提案されている（例えば特許文献１、特許文献２の構成を参照）。
【先行技術文献】
【特許文献】
【０００４】
【特許文献１】特開平９−２５５１３１号公報
【特許文献２】特開平９−３２８２１９号公報
【発明の概要】
【発明が解決しようとする課題】
【０００５】
ところが、上記特許文献１，２に記載されている洗浄装置の場合、洗浄後の落粉がスラッジ化し、それが洗浄装置（回収用ホッパー部など）の目詰まりを生じさせる。そのため、定期的な洗浄装置の清掃が必要になる。また、それら水を含んでスラッジ化した落粉は、廃水処理施設としての排水ピットで廃水と落粉に分けられるが、これら排水ピットで生じる落粉および廃水をどのように処理するかが新たな問題となる。落粉はバキューム車などで排出し、脱水したうえで埋め立て地などに搬送する必要があり、また廃水の方は当該排水ピットで濾過したうえで下水等に放水しなければならない。
【０００６】
上記洗浄装置の目詰まりを回避するためには上記洗浄時に供給する洗浄水の量を多くすれば良いが、そうすると最終的な廃水の量も多くなり、廃水処理施設としての排水ピットも大型化し、処理コストを上昇させる。このような事情から、上記特許文献１，２に示されるような洗浄装置を備えた洗浄処理システムは、実際には殆ど普及していないのが現状である。
【０００７】
本願発明は、このような従来の課題を解決するためになされたものであって、洗浄後の汚水の濾過循環機能を備え、一旦使用した洗浄水を繰り返し新たな洗浄に利用できるようにすることによって、従来の廃水をなくした無廃水型コンベアベルトの洗浄処理システムを提供することを目的とするものである。
【課題を解決するための手段】
【０００８】
本願発明は、上記の課題を解決するために、次のような課題解決手段を備えて構成されている。
【０００９】
（１）請求項１の発明の課題解決手段
この発明の課題解決手段は、水により落粉が付いたコンベアベルトを洗浄するコンベアベルト洗浄手段と、該コンベアベルト洗浄手段で洗浄に使用され、上記落粉を含んでスラッジ化した洗浄水を導入して脱水し、落粉成分を回収する落粉回収手段と、該落粉回収手段を介して落粉成分が回収された洗浄水を回収して貯留する洗浄水貯留手段と、該洗浄水貯留手段に貯留された洗浄水を洗浄水濾過手段を介して濾過した後に上記コンベアベルト洗浄手段に洗浄水として供給する洗浄水供給手段とからなり、それら各手段を上記洗浄水が順次閉回路的に循環するように構成すると共に、上記洗浄水貯留手段を沈殿池分離機能を有する洗浄水貯留槽に構成し、上記落粉回収手段を介して供給される洗浄水中の落粉成分を沈殿させることにより分離するようにしてなる無廃水型コンベアベルトの洗浄処理システムであって、上記落粉回収手段は、通水性、濾過機能のあるフレキシブルコンテナバッグよりなっていて、圧縮手段を備えた脱水濾過ステーションで加圧脱水されると共に該加圧脱水後に仕上げ脱水ステーションで自然脱水されるようになっており、上記洗浄水貯留槽は、上記脱水濾過ステーションおよび上記仕上げ脱水ステーションの下部にあって、上記脱水濾過ステーション側で深く、上記仕上げ脱水ステーション側で浅い、上方側で生じる脱水量に応じた傾斜断面形状に形成され、上記脱水濾過ステーション側所定深部に上記洗浄水濾過手段、上記仕上げ脱水ステーション側所定深部に水位検出装置が設けられていると共に、上記脱水濾過ステーション側最深部にヘドロ成分引き抜き用の配管、また上記仕上げ脱水ステーション側底部傾斜面に洗浄水の一部を戻す水戻し配管が配設されていることを特徴としている。
【００１０】
このような構成によると、落粉を回収する落粉回收手段、洗浄水を貯留する洗浄水貯留手段、洗浄水濾過手段、コンベアベルト洗浄手段を介して閉鎖的な洗浄水の浄化循環回路が形成されることになり、洗浄水貯留手段に貯留された一定量の洗浄水を濾過しながら繰り返し使用することができるようになり、コンベアベルト洗浄後の廃水を外部に排出する必要がなくなる。したがって、従来のような廃水処理の問題が解消され、また一定の期間内は、ほぼ無給水に近い状態でコンベアベルトを洗浄することが可能となる。
【００１１】
この場合、洗浄水貯留手段の貯留容量を大きくし、洗浄水供給手段の供給能力をそれに合わせて大きくして置けば、十分な量の洗浄水を循環させることができ、洗浄手段の洗浄部における洗浄機能、洗浄能力が向上するとともに、洗浄後の洗浄水のスラッジ化の度合が低くなり、その粘度が下がるので、従来のような洗浄手段における目詰まりも生じにくくなる。
【００１２】
しかも、この発明の課題解決手段では、上記落粉回収手段が、通水性、濾過機能のあるフレキシブルコンテナバッグよりなっていて、圧縮手段を備えた脱水濾過ステーションで加圧脱水されると共に、さらに該加圧脱水後に仕上げ脱水ステーションで自然脱水されるようになっている。したがって、単に洗浄によりスラッジ化した洗浄水中の落粉成分の回収を図る機能だけでなく、脱水濾過ステーションにおける加圧脱水、仕上げ脱水ステーションにおける自然脱水という２段階の洗浄水濾過機能を有している。
【００１３】
このような構成によると、上記落粉回収手段がスラッジ化した洗浄水の第一次的な濾過手段として、より有効に作用するようになる一方、洗浄水貯留手段側の洗浄水濾過手段が第二次的な濾過手段として作用するようになり、トータルとして、より高精度な濾過機能（および洗浄水の回収機能）を実現することができるようになる。
【００１４】
さらに、この発明の課題解決手段では、上記洗浄水貯留手段が沈殿池分離機能を有する洗浄水貯留槽として構成されており、上記落粉回収手段を介して供給される洗浄水中の落粉成分が沈殿分離されるようになっている。
【００１５】
このような構成によると、上記落粉回収手段による２段階の脱水工程で確実に脱水され、スラッジ成分が有効に回収された使用済み洗浄水中に残る落粉成分が、さらに洗浄水貯留手段部分で確実に沈殿分離されるようになり、洗浄水貯留手段中の洗浄水濾過手段をさらに高精度な濾過手段として機能させることが可能となるので、最終的にコンベアベルト洗浄手段に供給される洗浄水の清澄度がより大きく向上する。
【００１６】
この結果、上述した洗浄水の浄化循環回路の濾過性能がより向上し、より清澄度の高い洗浄水を得ることができる。
【００１７】
この場合、上記洗浄水貯留槽は、上記落粉回収手段の上記脱水濾過ステーションおよび上記仕上げ脱水ステーションの下部にあって、上記脱水濾過ステーション側で深く、上記仕上げ脱水ステーション側で浅い、上方側で生じる脱水量に応じた傾斜断面形状に形成され、上記脱水濾過ステーション側所定深部に上記洗浄水濾過手段、上記仕上げ脱水ステーション側所定深部に水位検出装置が設けられていると共に、上記脱水濾過ステーション側最深部にヘドロ成分引き抜き用の配管、また上記仕上げ脱水ステーション側底部傾斜面に洗浄水の一部を戻す水戻し配管が配設されている。
【００１８】
このような構成によると、脱水量が多く、使用済み洗浄水中に残る落粉成分も多い上記脱水濾過ステーション側では洗浄水貯留槽の深さを深くし、長期に亘って生じるヘドロの集積に対応すると共に、その最深部にヘドロ成分引き抜き用の配管を設けて定期的なヘドロの回収を可能とする。一方、脱水量が少なく、使用済み洗浄水中に残る落粉成分も少ない、上記仕上げ脱水ステーション側の底部は底の浅い傾斜面とし、洗浄水の一部を戻す水戻し配管を設けることによって、ヘドロ引き抜き後の洗浄を可能とする。
【００１９】
また、上記洗浄水濾過手段は、深さが深くて、脱水量が多い、上記脱水濾過ステーション側のヘドロの影響のない所定深部に設けるが、上記水位検出装置は、上方からの脱水量の影響が少なく、水面位が安定している、上記仕上げ脱水ステーション側の所定深部に設ける。
【００２０】
（２）請求項２の発明の課題解決手段
この発明の課題解決手段は、上記請求項１の発明の課題解決手段において、洗浄水供給手段は、電動ポンプにより構成され、制御手段により間欠的に駆動されるようになっていることを特徴としている。
【００２１】
このような構成によると、コンベアベルト洗浄手段のスラッジ排出口部分における目詰まりを生じにくくすることができるとともに、洗浄水濾過機能を持った落粉回収手段に流入する使用済み洗浄水の量を軽減することができるので、同部分における濾過負荷を軽減することができる。
【００２２】
これらの結果、洗浄処理システムの運転効率が向上する。
【００２３】
（３）請求項３の発明の課題解決手段
この発明の課題解決手段は、上記請求項１又は２の発明の課題解決手段において、コンベアベルト洗浄手段、落粉回収手段、洗浄水貯留手段、洗浄水濾過手段、洗浄水供給手段、加圧手段、脱水濾過ステーション、仕上げ脱水ステーションが装置本体部分に一体化され、単一の装置として移設可能となっていることを特徴としている。
【００２４】
このように、装置本体部分に、コンベアベルト洗浄手段、落粉回収手段、洗浄水貯留手段、洗浄水濾過手段、洗浄水供給手段、加圧手段、脱水濾過ステーション、仕上げ脱水ステーション等のコンベアベルトの洗浄に必用な装置が一体化され、単一の無廃水型洗浄処理装置として構成されていると、当該装置を車両等で移動させることができ、火力発電所や製鉄所などの固定的な場所に限らず、建設工事現場などの洗浄処理が必要な任意の場所に設置して使用することが可能となる。
【発明の効果】
【００２５】
以上のように、本願発明によると、一旦使用した洗浄水を繰り返し新たな洗浄水として利用することができるので、従来のような廃水処理の必要がなくなり、無廃水型の洗浄処理システムを実現することができる。
【００２６】
その結果、従来の洗浄処理システムのような大型の廃水処理施設が不要となり、大幅にコストを削減することができる。また、設置場所の制約も無くなる。
【００２７】
その結果、すでに述べた火力発電所や製鉄所などの固定的な場所に限らず、車両等で移動可能なユニット構造に構成することができるので、建設工事現場など、洗浄処理が必要な場所に任意に設置して使用することができる。そのため、装置の普及が促進される。
【図面の簡単な説明】
【００２８】
【図１】本願発明の実施の形態に係る無廃水型コンベアベルト洗浄処理システムの全体的な装置構成を示すシステム図である。
【図２】同実施の形態における無廃水型コンベアベルト洗浄処理システムのコンベアベルト洗浄装置（コンベアベルト洗浄手段）部分の構成を示す拡大断面図である。
【図３】同実施の形態における無廃水型コンベアベルト洗浄処理システムのスラッジ回収装置（落粉成分回収手段）および洗浄水貯留水槽（洗浄水貯留手段）部分の構成を示す正面図である。
【図４】同実施の形態における無廃水型コンベアベルト洗浄処理システムのスラッジ回収装置（落粉成分回収手段）部分の構成を示す平面図である。
【図５】同実施の形態における無廃水型コンベアベルト洗浄処理システムのスラッジ回収装置（落粉成分回収手段）部分の構成を示す左側面図である。
【図６】同実施の形態における無廃水型コンベアベルト洗浄処理システムのスラッジ回収装置（落粉成分回収手段）における脱水・濾過状態（フレキシブルコンテナバッグ圧縮状態）を示す図２と同様の正面図である。
【図７】同実施の形態における無廃水型コンベアベルト洗浄処理システムのスラッジ回収装置（落粉成分回収手段）部分における脱水濾過作業完了後のフレキシブルコンテナバッグ搬出状態を示す説明図である。
【図８】同実施の形態における無廃水型コンベアベルト洗浄処理システムの制御系統の構成を示す概略図である。
【発明を実施するための形態】
【００２９】
以下、添付の図１〜図８の図面を参照し、本願発明の実施の形態に係る無廃水型コンベアベルト洗浄処理システムの構成および作用について、詳細に説明する。
【００３０】
＜システム全体の構成：図１＞
すなわち、まず図１は、同本願発明の実施の形態に係るコンベアベルト洗浄処理システム全体の構成を示しており、符号５０は洗浄対象となるベルトコンベアである。このベルトコンベア５０は、例えば石炭焚きの火力発電所や製鉄所などで石炭や鉄鉱石などを目的の場所に搬送するのに使用される搬送容量の大きなベルトコンベアであり、この例では第２のベルトコンベア９が組み合わされて目的の場所に搬送されるようになっている。
【００３１】
このベルトコンベア５０も、一般のベルトコンベアと同様に搬入側および搬出側両端に一対のベルト車を備え、それらの間にエンドレスベルトを循環させ、上部側のベルトを搬送ベルト５１、下部側のベルトをリターンベルト５２とし、それらの間に多数のアイドラを設置して搬送ベルト５１を支持している（搬入側のベルト車および中間のアイドラは図示を省略）。そして、このコンベアベルト５０の搬送ベルト５１部分には、すでに述べたように石炭粉や、鉱石粉などの落粉が溜まり、それらがリターンベルト５２側に付着したまま搬入側に戻される。そして、これが繰り返されることにより、そのままではリターンベルト５２の下方にそれら落粉が次第に蓄積されることになる。
【００３２】
そこで、この実施の形態では、上記ベルトコンベア５０のリターンベルト５２のリターン側部分に位置してコンベアベルト洗浄装置（コンベアベルト洗浄手段）５を設け、該コンベアベルト洗浄装置５の洗浄室５３ａを通してリターンベルト５２を搬入端側にリターンさせるようにし、上記リターンベルト５２に付着している落粉を除去するようにし、下方に落下させないようにしている。
【００３３】
＜コンベアベルト洗浄装置部分の構成：図２＞
コンベアベルト洗浄装置５は、例えば図２に詳細に示すように、側壁上部に上記リターンベルト５２を通過させるためのスリット５３ｃ，５３ｃを備えた屋根付きホッパー構造の洗浄チャンバー５３内に図示のような洗浄室５３ａを形成して構成されており、同洗浄室５３ａ内には上記洗浄室５３ａ内を通過するリターンベルト５２の下面に向けて洗浄水Ｗを噴射する洗浄水噴射ノズル５４ａ（ベルト洗浄用）、５４ｂ（洗浄チャンバー内洗浄用）が設けられている。そして、上記洗浄室５３ａ内に上記の様にリターンベルト５２を通し、コンベアベルト洗浄時は洗浄水噴射ノズル５４ａからリターンベルト５２裏面（搬送時表面）に洗浄水Ｗを強く吹き付けて、リターンベルト５２に付着している落粉を洗い落す。
【００３４】
このようにして、ベルト面から下方に落とされる落粉は洗浄水Ｗと混合されて所定粘度のスラッジＳとなり、洗浄水Ｗと共に洗浄チャンバー５３下部のホッパー部で集合されて、同ホッパー部下端のスラッジ排出口５３ｂ部分から排出される。スラッジ排出口５３ｂには、後述するスラッジ回収装置（落粉成分回収手段）１側に延びるダクトホース５５が接続されており、このダクトホース５５を介してスラッジ回収装置１側に使用後の汚染洗浄水ＷおよびスラッジＳが供給される。なお、以下の説明では、この使用後の汚染洗浄水Ｗを含んで（と混合されて）スラッジ化した落粉成分（汚泥状の落粉成分）を、すべて単にスラッジＳと略称して説明することにする。
【００３５】
＜スラッジ回収装置部分の構成：図３〜図５＞
スラッジ回収装置１は、例えば図３〜図５に示されるように、スラッジ回収手段として所定のメッシュ値で通水性のある布製のフレキシブルコンテナバッグ（以下、単にフレコンバッグと略称する）１０を備え、該フレコンバッグ１０中に上記使用後の洗浄水ＷおよびスラッジＳをそのまま導入し、その後同フレコンバッグ１０を所定の圧縮手段（後述）で圧縮することにより、スラッジＳ中から洗浄水Ｗを可能な限り排出（脱水）し、スラッジＳのみをケーキ状（塊状）にして回収するようになっている。
【００３６】
このスラッジ回収装置１は、内側に洗浄水貯留槽（洗浄水貯留手段）６０および各種配管系統６５・６９・６７・７１・７３・８１・８２（図１参照）、上面側にフレコンバッグ搬出用の第１，第２の搬送ローラ２５，２６、側部に昇降シリンダ３３を備えたコンベアベルト洗浄装置本体（以下、単に装置本体と言う）２１の上部側前部より部分に位置して一体に立設された昇降枠（リフト枠）２２を使用して、次のように構成されている。
【００３７】
装置本体２１は、図示のように、その全体が鉄骨フレーム枠構造で形成されており、その上面側は、前端部側がフレコンバッグ搬入ステーション２０、中央部側がフレコンバッグ脱水濾過ステーション２３、後端部側がフレコンバッグ仕上げステーション２４にゾーン設定されている。
【００３８】
そして、上記昇降枠２２は、上記装置本体枠２１の上記フレコンバッグ脱水濾過ステーション２３部分の左右上部枠２１ａ、２１ａ上に立設された４本の支柱２２ａ，２２ａ・・と、これら４本の支柱２２ａ，２２ａ・・の上端同士を相互に連結する方形の天井枠（天井枠フレーム）２２ｂとからなり、天井枠２２ｂ間の中央部位置には、上記ダクトホース５５の下端部が開閉駆動用の電動機Ｍ（図１以外では図示を省略）を備えた電動弁５７を介して接続されるフレコンバッグ取り付け筒５６が設けられている。このフレコンバッグ取り付け筒５６の下端側開口部５８部分がフレコンバッグ取り付け口部となっており、同開口部５８に対して、図示のようにフレコンバッグ１０の上端側開口部１１が絞り付け状態で緊密に取り付けられる。このフレコンバッグ取り付け筒５６は、例えば上記天井枠２２ｂの前後両枠部間に別途架設したブリッジ枠（図示省略）を利用して、上記フレコンバッグ脱水濾過ステーション２３のセンター部上方位置に取り付けられている。
【００３９】
符号５９は、上記フレコンバッグ１０の開口部１１を上記フレコンバッグ取り付け筒５６の下端側開口部５８に対して確実に締め付け固定するための固定用リングであり、例えば一例として嵌合弾性強度の強い２組のＣリングが採用されている。
【００４０】
フレコンバッグ１０は、この実施の形態のスラッジ回収装置１において、スラッジＳを回収するとともに汚染した洗浄水Ｗの第一次的な濾過を図り、かつ回収したスラッジＳの確実な脱水を図る中心的な役割を果たすものであり、スラッジＳを形成する落粉成分（例えば粒径が０.１mm程度もの）の通過を阻止しながら、しかも洗浄水を確実に排出する濾過・脱水・回収容器機能をもつものである。しかも、この実施の形態では、そのような洗浄水の濾過および脱水を確実にするために、上記使用後の洗浄水ＷおよびスラッジＳをそのままフレコンバッグ１０内に導入し、その後所定の圧縮手段で複数回圧縮するようにしているので、それに耐え得る強靭性のあるものであることが好ましい。また、できれば上部側筒体部の通常の生地部分とは別に網目生地による水切り部を有し、水切り効率が高いものが好ましい。
【００４１】
このように構成されたフレコンバッグ１０は、図示のように、搬送用のパレット３０を介してフレコンバッグ昇降装置の昇降台４１上に載置されている。パレット３０は、相互の間に通水用の間隔をあけて設けられた上下各複数枚の板材間に中間財を挟んで上下方向の所定の隙間を形成した偏平箱形ものよりなり、同上下方向の隙間部分にフォークリフトのフォーク部分を差し込んで持ち上げることができる搬送構造のものが採用されている。
【００４２】
＜フレコンバッグ昇降装置の構成：図３〜図７＞
フレコンバッグ昇降装置は、上述したフレコンバッグ圧縮手段（フレコンバッグ脱水手段）を構成するものであり、駆動源である昇降シリンダ３３を備え、その駆動力を上記昇降台４１に伝達する動力伝達機構３４としての鎖型のチェーン３９ａ〜３９ｄ、鎖型のチェーン３９ａ〜３９ｄに対応した係合歯を有するスプロケット（転向手段）３７ａ〜３７ｄを介して昇降台４１をリフティングし、該リフティング状態で上下方向に昇降させるようになっている。そして、それにより昇降台４１上にパレット３０を介して載置されている上記フレコンバッグ１０を上方に吊り上げ、上記天井枠２２ｂ側に設けられているリング状のフレコンバッグ受け止め部材（これは天板下面でも良い）１５との間で上記フレコンバッグ１０全体を均等に圧縮し、当該フレコンバッグ１０内に収納されているスラッジＳ中の洗浄水Ｗを可能な限り外部に排出させて、回収すべきスラッジＳの可及的な脱水を図る。
【００４３】
昇降シリンダ３３は、例えば電動式のパワーシリンダよりなり、図３〜図５から明らかなように、そのシリンダ本体部３３ａが装置本体２１の枠体正面側に一体に設置されており、その作動ロッド３３ｂが上記昇降枠２２の天井枠２２ｂ部分まで延びて、上記鎖型のチェーン３９ａ，３９ｂの基端側を連結している。
【００４４】
動力伝達機構３４は、上記昇降枠２２の天井枠２２ｂの上面側左右に位置し、前後に平行な状態で設けた第１の回転支軸３５および第２の回転支軸３６と、上記第１の回転支軸３５の前後両端に回転可能に取付けた上記４組のスプロケット３７ａ，３７ｂ、３７ｃ，３７ｄと、上記第２の回転支軸３６の前後両端に取付けた上記２組のスプロケット３８ａ，３８ｂと、それら各スプロケット３７ａ，３７ｂ、３７ｃ，３７ｄ、３８ａ，３８ｂ部分に巻回された上記鎖型のチェーン３９ａ，３９ｂ、３９ｃ，３９ｄとを連係回転可能に組み合わせて構成されている。
【００４５】
鎖型のチェーン３９ａ，３９ｂ、３９ｃ，３９ｄの先端側は、上記昇降台４１の左右２枚の側板４２、４２の前後両端部分にそれぞれ連結されている。他方、鎖型のチェーン３９ａ，３９ｂの基端側は共に昇降シリンダ３３の作動ロッド３３ｂの先端に連結されている（上述）。また、上記鎖型のチェーン３９ｃ，３９ｄの基端側は、共に昇降作動時の重量バランスを取るためのカウンタウエイト４０の上端に連結されている（図３および図６の構成を参照）。
【００４６】
そして、昇降シリンダ３３の作動ロッド３３ａが最も伸長した状態（図３および図５の状態を参照）では、上記構成の動力伝達機構３４（各チェーン３９ａ，３９ｂ、３９ｃ，３９ｄおよび各スプロケット３７ａ，３７ｂ、３７ｃ，３７ｄ、３８ａ，３８ｂ）を介して、上記昇降台４１が最下動状態に維持される一方、昇降シリンダ３３の作動ロッド３３ｂが最も縮小した状態になると（図６の状態を参照）、同動力伝達機構３４を介して上記昇降台４１が最上動状態に維持されるようになっている。
【００４７】
この場合において、上記昇降枠２２内の上記脱水濾過ステーション２３の上記昇降台４１上には、上記フレコンバッグ搬入ステーション２０を介してパレット３０が搬入され、該パレット３０上にはフレコンバッグ１０が載置されている。したがって、上記図３および図５の最下降状態において、上記フレコンバッグ取り付け口部５８にフレコンバッグ１０の開口部１１を取り付け、電動弁５７を開いて、同フレコンバッグ１０中に上記洗浄水ＷおよびスラッジＳを導入し、その導入量が一定の量になった段階で、洗浄水供給ポンプ６３を停止するとともに電動弁５７を閉じ、上記昇降シリンダ３３を駆動すると、当該フレコンバッグ１０が上記図３および図５の状態から図６の状態に吊り上げられ、上記天井枠２２ｂ側に設けられているフレコンバッグ受け止め部材１５とパレット３０との間で当該フレコンバッグ１０の全体が効果的に圧縮され、当該フレコンバッグ１０内に収納されているスラッジＳ中の洗浄水Ｗを可能な限り外部に排出させて、回収すべきスラッジＳの可及的な脱水を図ることができる（図６の状態を参照）。
【００４８】
また、この時、外部に排出される洗浄水Ｗは、その時のメッシュ値（例えば水切り部の）で決まる所定粒径以上のスラッジ成分Ｓがフレコンバッグ１０内に回収されて或る程度まで清澄濾過された洗浄水となる。この圧縮状態は、脱水に必要な所定時間維持される。
【００４９】
そして、同所定時間が経過すると、再び上記図３および図５の最下降状態に戻して、電動弁５７を開くとともに洗浄水供給ポンプ６３を駆動して、改めてフレコンバッグ１０中に新たな洗浄水ＷおよびスラッジＳを導入し、その導入量が一定の量になると、再び洗浄水供給ポンプ６３を止めるとともに電動弁５７を閉じて、上記昇降シリンダ３３を駆動して、フレコンバッグ１０を上記図６の状態に吊り上げて脱水および洗浄水の濾過を行う。
【００５０】
この作業を所定回数繰り返して、脱水され、ケーキ状になったスラッジＳの量が所定の梱包・搬出量（略満杯）に達すると、洗浄水供給ポンプ６３の駆動（洗浄水の供給）を止め、かつ電動弁５７を閉じた状態を維持した状態で、上記フレコンバッグ１０の開口部１１をフレコンバッグ取り付け口部５８から外して閉じ、パレット３０上に載置したまま上記スラッジ回収装置１の上記脱水濾過ステーション２３部分から、装置本体２１後端側の仕上げ脱水ステーション２４部分に移送し、所定時間放置して自然放出による仕上げ脱水を行う（図７の状態を参照）。そして、その間に、上記フレコンバッグ搬入ステーション２０側から新たなパレット３０およびフレコンバッグ１０を搬入し、上記フレコンバッグ取り付け筒５８に対して次の新しいフレコンバッグ１０を装着する。
【００５１】
上記昇降台４１は、上記の様にパレット３０の左右方向の間隔よりも少し広い間隔をもつ左右２枚の側板４２，４３間に複数枚の縦板４４，４４・・を左右交差方向に並設して構成されている。そして、この昇降台４１は、後述するように上昇時（例えば図６の状態）には各縦板４４，４４・・部分でパレット３０を押し上げる一方、最下降位置（図３〜図５の状態）まで下降した状態では、各縦板４４，４４・・部分が上述した装置本体枠２１上部の上記脱水濾過ステーション２３下部に対応して設置されている第１の搬送ローラ２５の各ローラ間の隙間に入り込むとともに、各縦板４４，４４・・の上端面が当該各ローラの上端面よりも所定寸法下方位置に沈みこむように設定して構成されている（図３を参照）。
【００５２】
従って、これにより、当該一つのフレコンバッグ１０によるスラッジＳの回収が終了して上記昇降台４１が上記のように最下降位置まで下降したときには、上記フレコンバッグ１０を載せたパレット３０の下面が各縦板４４，４４・・の上面部分から第１の搬送ローラ２５の各ローラの上面側に乗り替わる。したがって、この状態でフレコンバッグ１０を後方側に押すと、当該フレコンバッグ１０は、パレット３０と共に装置本体２１後端側の上記仕上げ脱水ステーション２４ゾーンに対応して同様に設けられている第２の搬送ローラ２６のローラ上に移送され、上記仕上げ脱水ステーション２４部分で所定時間内仕上げ脱水が行われる。これにより所定時間内フレコンバッグ１０から滴り落ちる洗浄水のさらなる回収がなされる。そして、所定の時間が経過してフレコンバッグ１０からの洗浄水の滴下が無くなると、同仕上げステーション２４部分にフォークリフトを対応させ、上記パレット３０のフォーク挿入空間にフォークを挿入して降ろし、所定の場所に搬送する。
【００５３】
＜洗浄水貯留槽（洗浄水貯留手段）の構成：図１、図３〜図５、図７＞
ところで、上述のように、上記装置本体枠２１の内側には、上記スラッジ回収装置１側の脱水・濾過ステーション２３および仕上げ脱水ステーション２４の下面に対応した水受け開口面を有する洗浄水貯留槽（洗浄水貯留手段）６０が設けられている。
【００５４】
この洗浄水貯留槽６０は、図示のように、上記脱水濾過ステーション２３側で深く、仕上げ脱水ステーション２４側で浅い、上方側で生じる脱水量に応じた断面形状のものとなっており、脱水・濾過ステーション２３側所定深部に洗浄水濾過手段６２、仕上げ脱水ステーション２４側所定深部に水位検出装置６１が設けられている。洗浄水濾過手段６２は、例えばウエッジワイヤーを備えたウオーターストレーナにより構成されており、上記所定メッシュ値のフレコンバッグ１０を第一次的な濾過手段として濾過され、かつ当該洗浄水貯留槽６０内で残余スラッジ成分が沈殿分離されたコンベアベルト洗浄後の洗浄水を、さらに確実かつ高精度に濾過し、より清澄度の高い洗浄水に再生する。水位検出装置６１は、例えば検知水位の異なる３本の水位検知電極を有し、貯留された水位レベルが所定の設定レベルより低下したことを検出すると、水補給タンク８９に接続された補給水配管６９途中の電磁開閉弁７０を開き、上記洗浄水濾過手段６２を通して必要量の給水を行う。また、この給水制御は、必要に応じて上記洗浄水濾過手段６２の目詰まりを解消する逆洗にも利用される。
【００５５】
この洗浄水貯留槽６０は、また上記のように沈殿池としての機能も有しており、そのために上記第一次的な濾過手段であるフレコンバッグ１０のメッシュ値よりも小さな粒径で、フレコンバッグ１０を通過し、かつ上記洗浄水濾過手段６２で濾し取られた微細な落粉成分を底部６０ａの一カ所に集め得る擂り鉢形状になっている。そして、同微細な落粉成分がヘドロ状に沈殿する底部６０ａの最深部部分に対応して、ヘドロ成分引き抜き用の配管７１の一端が挿入されている。このヘドロ引き抜き配管７１は、電磁開閉弁７２を介して上記洗浄水供給ポンプ６３に接続されており、上記洗浄水供給ポンプ６３は手動開閉弁８６を介してドレン配管８５に接続されている。したがって、洗浄水供給配管６７の洗浄水供給ポンプ６３上流側の電磁開閉弁６６を閉じ、上記ドレン配管８５の手動開閉弁８６を開いて、上記洗浄水供給ポンプ６３を駆動すると、上記洗浄水貯留槽６０の底部６０ａの最深部部分に溜ったヘドロ成分を引き抜き、外部に排出することができる。
【００５６】
また、それに合わせて、上記洗浄水貯留槽６０の上記ヘドロが溜りにくい仕上げ脱水ステーション２４側の底部には、ヘドロ成分引き抜き後の洗浄水の戻り量を調整するための手動開閉弁８３、８４を介して水噴射ノズル５４ａ、５４ｂ側への供給洗浄水の一部を戻す第１、第２の水戻し配管８１、８２の先端が挿入されている。そして、それによりヘドロ成分引き抜き後の上記洗浄水貯留槽６０の底の浅い傾斜面部分に付着したヘドロ成分を洗い落とすことができる。また、それらのうちの第１の水戻し配管８１の途中には、戻される洗浄水の清澄度を見るための透明な透視管９０が設けられている。
【００５７】
＜洗浄水噴射ノズルへの濾過洗浄水の循環供給システム：図１および図８＞
図１は、上記洗浄水噴射ノズル５４ａ（ベルト洗浄用）、５４ｂ（洗浄チャンバー内洗浄用）への濾過洗浄水Ｗの循環供給システムの基本的な構成を、また図８は、マイコン制御機能を備えた制御盤９０を中心とする制御系統の基本的な接続構成を示している。この制御盤９０は、上記昇降シリンダ３３の昇降駆動制御、上記フレコンバッグ１０内へのスラッジ導入状態を制御する電磁開閉弁５７の開閉制御、上記洗浄水供給ノズル５４ａ（ベルト洗浄用），５４ｂ（洗浄チャンバー内洗浄用）への洗浄水供給状態を制御する電磁開閉弁６６、上記洗浄水供給ノズル５４ａ（ベルト洗浄用），５４ｂ（洗浄チャンバー内洗浄用）何れか一方側へ切り替えて洗浄水を供給する電動３方ボール弁（３方切換え弁）６８ａ、洗浄水供給ポンプ６３（その駆動モータ６４）の駆動状態制御、洗浄水貯留槽６０内の沈殿スラッジ成分をドレン側に排出する引き抜き時の電磁開閉弁７２および洗浄水供給ポンプ６３（その駆動モータ６４）の駆動制御、水位検出装置６１が洗浄水貯留槽６０内に貯留された水位レベルが所定の設定レベルより低下したことを検出した時に水補給タンク８９に接続された補給水配管６９途中の電磁開閉弁７０を開いて上記洗浄水濾過手段６２を通して必要量の給水を行う給水制御（水補給制御）、上記電動３方ボール弁（３方切換え弁）６８ａにより上記コンベアベルト洗浄用の水噴射ノズル５４ａによる水噴射状態から、上記洗浄チャンバー内洗浄用の水噴射ノズル５４ｂによる水噴射状態に切り替えるタイマー制御（例えば１時間に１回程度）等を行うようになっている。
【００５８】
図１における符号６７は、上記洗浄水貯留槽６０内の洗浄水濾過手段６２から電磁開閉弁６６、洗浄水供給ポンプ６３、電動３方ボール弁６８を介して、上述したコンベアベルト洗浄装置５の上記第１、第２の洗浄水噴射ノズル５４ａ（ベルト洗浄用）、５４ｂ（洗浄チャンバー内洗浄用）へ濾過洗浄水を供給するメインとなる上記洗浄水供給配管である。この洗浄水供給配管６７は、上記電動３方ボール弁６８部分で第１、第２の２本のノズル配管６７ａ（ベルト洗浄用），６７ｂ（洗浄チャンバー内洗浄用）に分岐されて選択的に供給されるようになっている（常時はノズル配管６７ａ、洗浄チャンバー内洗浄時はノズル配管６７ｂ）。上記電動３方ボール弁６８には、手動のバイパス開閉弁６８ａが設けられている。また、符号６４は、上記洗浄水供給ポンプ６３駆動用のモータ、符号ＰＬは、供給水の水圧を示す水圧指示計である。
【００５９】
＜本実施形態の洗浄水噴射ノズルへの濾過洗浄水の循環供給システムによるメリット＞
したがって、以上のような構成の場合、上述のように、フレコンバッグ１０部分で第一次的に濾過されて、殆どのスラッジ成分Ｓが除去された使用済みの洗浄水Ｗが、一旦上記洗浄水貯留槽６０内に貯留される。そして、この洗浄水貯留槽６０内で所定時間貯留されることにより、沈殿作用が生じて、当該使用済み洗浄水Ｗ中のフレコンバッグメッシュ値よりも粒径の小さいび落粉成分が底部６０ａ側に二次的に沈殿分離され、より清澄度の高い洗浄水となる。
【００６０】
次に、このようにして清澄化された洗浄水貯留槽６０内中〜上層部の使用済み洗浄水が、さらにウエッジワイヤー方式の高性能の洗浄水濾過手段６２を介して三次的に濾過され、さらに清澄度の高い洗浄水となって、上記電磁開閉弁６６、洗浄水供給ポンプ６３、電磁３方ボール弁６８を介して、上述したコンベアベルト洗浄装置５の第１、第２の洗浄水噴射ノズル５４ａ、５４ｂに供給されることになる。そして、以上の作用が繰り返し循環される。
【００６１】
したがって、同構成の場合、コンベアベルト洗浄装置５の第１、第２の洗浄水噴射ノズル５４ａ、５４ｂに供給される洗浄水の清澄度は非常に高いものとなり、新たな洗浄水と言っても良いレベルのものとなる。そのため、上記電磁開閉弁６６、洗浄水供給ポンプ６３、電動３方ボール弁６８部分での目詰まり等のトラブルが生じないだけでなく、それらの耐久性（寿命）も大きく向上する。また、洗浄水の供給作がスムーズで、洗浄部での洗浄効果も高くなる。
【００６２】
そして、以上の作用が閉回路的に連続し、繰り返し循環されるので、上記洗浄水貯留槽６０に貯留できる程度の一定量の洗浄水さえあれば、スラッジ側に残る水分量だけの最低限の減少状態に対応した給水さえ行えば足りる。しかも、洗浄後の汚染水を全く外部に排出する必要がないから、従来のような廃水が生じず、無廃水での洗浄が可能となる。したがって、従来のような大型の廃水処理設備も不要となる。
【００６３】
ただ、洗浄水貯留槽６０が沈殿池として機能するので、相当の期間を経て同槽底部６０ａに溜った一次濾過後の微細な落粉成分のヘドロのみを、必要に応じ、上記電磁開閉弁７２およびドレン開閉弁８６を開き、上記洗浄水供給ポンプ６３を駆動して、上記引き抜き配管７１〜戻り配管７３〜ドレン配管８５から排出すればよい。
【００６４】
また、以上の場合において、上記洗浄水供給手段である電動ポンプ６４による洗浄水供給制御は、例えば上記制御盤９０により、所定の周期で間欠的に供給制御されるようになっている。
【００６５】
このような構成によると、コンベアベルト洗浄装置５のスラッジ排出口５３ｃ部分における目詰まりを生じにくくすることができるとともに、洗浄水濾過機能を持ったフレコンバッグ１０内に流入する使用済み洗浄水の量を適切に軽減することができるので、同部分における濾過負荷を軽減することができる。その結果、洗浄処理システムの運転効率が向上する。
【００６６】
このように、本実施の形態のコンベアベルト洗浄処理システムによると、一旦使用した洗浄水を繰り返し新たな洗浄水として利用することができるので、従来のような大量の廃水処理の必要がなくなり、無廃水型の洗浄処理システムを実現することができる。
【００６７】
その結果、従来の洗浄処理システムのような大型の廃水処理施設が不要となり、大幅にコストを削減することができる。また、設置場所の制約がなくなる。
【００６８】
また、以上に述べたように、同構成では、装置本体２１部分に全ての必用な構成部分を一体化し、車両等で移動可能なユニット構造に形成することができるので、すでに述べた火力発電所や製鉄所などの固定的な場所に限らず、車両等で必要な場所に移動して設置することができ、建設工事現場など、洗浄処理が必要な場所に任意に設置して使用することができる。
【００６９】
そのため、汚泥その他の落粉等、対応できる用途が拡大され、同装置の普及も促進される。
【００７０】
＜その他の実施の形態＞
以上の実施の形態では、フレコンバッグ１０の圧縮手段として、昇降式（リフト型）の構成を採用したが、これは例えば前後又は左右方向の圧縮方式を採用して構成することもでき、又上方側から下方側に圧縮する圧縮手段を設けて構成することも可能である。
【００７１】
また、フレコンバッグ取り付け口部５８部分およびパレット載置台部分を軸回り方向に回転可能に構成して、遠心分離する方式の採用も可能である。このような構成の場合、周囲に防水壁を設け、その前後を開閉可能なシャッター扉構造にするなどの構成が必要になるが、フレコンバッグ１０中に脱水スラッジＳが充満するまで、洗浄を止める必要がない点で、洗浄効率、スラッジ回収効率が大きく向上する。したがって、搬送が継続しているベルトコンベア５０のコンベアベルト５１，５２を継続して洗浄することができる。
【００７２】
また、以上の実施の形態では、フレコンバッグ１０をスラッジ回収手段の一例として採用したが、これはフレコンバッグに限らず、各種の同等の機能、構成を有するものの採用が可能である。
【符号の説明】
【００７３】
１はスラッジ回収装置、５はコンベアベルト洗浄装置、１０はフレコンバッグ、１１はフレコンバッグ開口部、２０はフレコンバッグ搬入ステーション、２１は装置本体、２２は昇降枠、２３は脱水濾過ステーション、２４は仕上げ脱水ステーション、２５は第１の搬送ローラ、２６は第２の搬送ローラ、３０はパレット、４１は昇降台、５０はベルトコンベア、５２はリターンベルト、５３は洗浄チャンバー、５３ａは洗浄室、５４ａ，５４ｂは洗浄水噴射ノズル、５５はダクトホース、５７はスラッジ導入用の電動弁、６０は洗浄水貯留槽、６２は洗浄水濾過手段、６３は洗浄水供給ポンプ、６６は電磁開閉弁、６７は洗浄水供給配管、６８は電動３方ボール弁、７０，７２は電磁開閉弁、９０は制御盤、Ｓはスラッジ、Ｗは洗浄水である。
【手続補正３】
【補正対象書類名】図面
【補正対象項目名】図１
【補正方法】変更
【補正の内容】
【図１】
2018150153.tif 000011
【手続補正４】
【補正対象書類名】図面
【補正対象項目名】図２
【補正方法】変更
【補正の内容】
【図２】
2018150153.tif 000012